(57)【要約】【課題】光源から出力される光の光量の調整を行うことなく、光量の変動を低減すること。【解決手段】光伝送装置は、連続光Ｌｓを出力する光源装置３１と、検出された電磁波の電界強度に応じた検出信号により連続光Ｌｓを変調して、変調光を出力する光変調器と、変調光を電気信号に変換する光検出器と、を備え、光源装置３１は、第１周波数を有する直線偏光の出力光Ｌ１を出力する光源１１と、第２周波数を有する直線偏光の出力光Ｌ２を出力する光源１２と、出力光Ｌ１と出力光Ｌ２とを合波して、合波光Ｌｂ１及び合波光Ｌｂ２を出力する光合分波器１３と、合波光Ｌｂ１の偏光方向と合波光Ｌｂ２の偏光方向とが交差するように、合波光Ｌｂ１と合波光Ｌｂ２とを合成して連続光Ｌｓを出力する偏波合成器１４と、を備え、第１周波数ｆ１と第２周波数ｆ２との差は、検出信号の周波数の２倍以上である。【選択図】図２
2014215180.tif 000002
【特許請求の範囲】
【請求項１】
連続光を出力する光源装置と、
検出された電磁波の電界強度に応じた変調信号により前記連続光を変調して、変調光を出力する光変調器と、
前記変調光を電気信号に変換する光検出器と、
を備え、
前記光源装置は、
第１周波数を有する直線偏光の第１出力光を出力する第１光源と、
前記第１周波数とは異なる第２周波数を有する直線偏光の第２出力光を出力する第２光源と、
前記第１出力光と前記第２出力光とを合波して、第１合波光及び第２合波光を出力する光合分波器と、
前記第１合波光の偏光方向と前記第２合波光の偏光方向とが交差するように、前記第１合波光と前記第２合波光とを合成して前記連続光を出力する偏波合成器と、
を備え、
前記第１周波数と前記第２周波数との差は、前記変調信号の周波数の２倍以上であることを特徴とする光伝送装置。
【請求項２】
前記光源装置と前記光変調器との間に設けられたシングルモードファイバをさらに備え、
前記光源装置は、前記シングルモードファイバを介して前記連続光を前記光変調器に出力することを特徴とする請求項１に記載の光伝送装置。
【請求項３】
第１周波数を有する直線偏光の第１出力光を出力する第１光源と、
前記第１周波数とは異なる第２周波数を有する直線偏光の第２出力光を出力する第２光源と、
前記第１出力光と前記第２出力光とを合波して、第１合波光及び第２合波光を出力する光合分波器と、
前記第１合波光の偏光方向と前記第２合波光の偏光方向とが交差するように、前記第１合波光と前記第２合波光とを合成する偏波合成器と、
を備えることを特徴とする光源装置。
【発明の詳細な説明】
【技術分野】
【０００１】
本発明は、光伝送装置及び光源装置に関する。
【背景技術】
【０００２】
電波暗室に設置された被測定装置から放射される微弱な電磁波を測定するための電界計測装置等の光伝送装置がある。例えば、特許文献１には、２つの光源と、２つの光源の出力光を結合する光結合器と、センサヘッドと、センサヘッドに電気的に接続されたアンテナと、受光器と、を備えた電界センサが記載されている。通常使用される電界センサの感度は入射偏波に依存する。このため、偏波を維持できる光ファイバを使用するか、シングルモードファイバを使用する場合には特許文献１に記載されているように、２つの光源からの出力光を直線偏光で、かつ、偏波面が互いに直交している光源によって偏波依存性による感度の変化を抑制する必要がある。このため、光結合器において結合された光では偏波面が直交しているので、光源とセンサヘッドとの間の光ファイバをシングルモードファイバとすることを可能としている。
【先行技術文献】
【特許文献】
【０００３】
【特許文献１】特開平９−１５９７０７号公報
【発明の概要】
【発明が解決しようとする課題】
【０００４】
しかしながら、上述の電界センサでは、２つの光源から出力される光の光量が一致していない場合、センサヘッドに出力される光量の変動が発生するので、正確な測定ができないおそれがある。このため、上述の電界センサでは、２つの光源から出力される光の光量を調整しておく必要がある。
【０００５】
そこで本発明は、このような問題点を解決するためになされたものであって、光源から出力される光の光量の調整を行うことなく、光量の変動を低減可能な構造を有する光伝送装置及び光源装置を提供することを目的とする。
【課題を解決するための手段】
【０００６】
上記課題を解決するため、本発明の一側面に係る光伝送装置は、連続光を出力する光源装置と、検出された電磁波の電界強度に応じた変調信号により連続光を変調して、変調光を出力する光変調器と、変調光を電気信号に変換する光検出器と、を備える。光源装置は、第１周波数を有する直線偏光の第１出力光を出力する第１光源と、第１周波数とは異なる第２周波数を有する直線偏光の第２出力光を出力する第２光源と、第１出力光と第２出力光とを合波して第１合波光及び第２合波光を出力する光合分波器と、第１合波光の偏光方向と第２合波光の偏光方向とが交差するように、第１合波光と第２合波光とを合成して連続光を出力する偏波合成器と、を備える。第１周波数と第２周波数との差は、変調信号の周波数の２倍以上である。
【０００７】
このような光伝送装置では、光合分波器によって、第１周波数を有する直線偏光の第１出力光と第２周波数を有する直線偏光の第２出力光とを合波している。第１周波数と第２周波数とが異なるので、第１出力光と第２出力光との合波によって第１周波数と第２周波数との差に応じたビート周波数の光量変動を持つ光である第１合波光及び第２合波光が生じる。そして、偏波合成器によって、第１合波光の偏光方向と第２合波光の偏光方向とが交差するように第１合波光及び第２合波光を偏波合成することにより、連続光を生成して出力している。第１合波光及び第２合波光は同じ振幅の光量変動を有しているので、第１出力光及び第２出力光の光量の調整を行うことなく、光変調器に出力される連続光の互いに偏光方向が交差する２つのビート成分の光量の変動を低減することができる。また、第１周波数と第２周波数との差は、変調信号の周波数の２倍以上であるので、光変調器における変調成分を分離して検出することが可能となる。その結果、電磁波の測定精度の向上が可能となる。
【０００８】
本発明の他の側面に係る光伝送装置は、光源装置と光変調器との間に設けられたシングルモードファイバをさらに備えてもよく、光源装置は、シングルモードファイバを介して連続光を光変調器に出力してもよい。
【０００９】
このような光伝送装置では、光源装置から出力される連続光は、偏光方向が交差した光である。このため、連続光がシングルモードファイバを介して光変調器に出力される際に、偏光状態の変動が生じても、ほぼ一定振幅のビート成分光に対する光変調器における変調が可能となる。
【００１０】
本発明の一側面に係る光源装置は、第１周波数を有する直線偏光の第１出力光を出力する第１光源と、第１周波数とは異なる第２周波数を有する直線偏光の第２出力光を出力する第２光源と、第１出力光と第２出力光とを合波して第１合波光及び第２合波光を出力する光合分波器と、第１合波光の偏光方向と第２合波光の偏光方向とが交差するように、第１合波光と第２合波光とを合成する偏波合成器と、を備える。
【００１１】
このような光源装置では、光合分波器によって、第１周波数を有する直線偏光の第１出力光と第２周波数を有する直線偏光の第２出力光とを合波している。第１周波数と第２周波数とが異なるので、第１出力光と第２出力光との合波によって第１周波数と第２周波数との差に応じたビート周波数成分の光である第１合波光及び第２合波光が生じる。そして、偏波合成器によって、第１合波光の偏光方向と第２合波光の偏光方向とが交差するように第１合波光及び第２合波光を偏波合成することにより、出力光を生成して出力している。第１合波光及び第２合波光は同じ振幅の光量変動を有しているので、第１出力光及び第２出力光の光量の調整を行うことなく、出力光の互いに偏光方向が交差する２つのビート成分の光量の変動を低減することができる。
【発明の効果】
【００１２】
本発明によれば、光源から出力される光の光量の調整を行うことなく、測定に係る光量（ビート振幅）の変動を低減できる。
【図面の簡単な説明】
【００１３】
【図１】一実施形態に係る光伝送装置の構成を概略的に示す図である。
【図２】図１の光源装置の構成を概略的に示す図である。
【図３】（ａ）は図２の一方の光源の出力光の一例を示す図、（ｂ）は図２の他方の光源の出力光の一例を示す図、（ｃ）は図２の光合分波器の一方の合波光の一例を示す図、（ｄ）は図２の光合分波器の他方の合波光の一例を示す図である。
【発明を実施するための形態】
【００１４】
以下、添付図面を参照して本発明の実施形態を詳細に説明する。なお、図面の説明において同一又は相当要素には同一の符号を付し、重複する説明を省略する。
【００１５】
図１は、一実施形態に係る光伝送装置の構成を概略的に示す図である。図１に示されるように、光伝送装置１は、例えば、被測定装置（不図示）から放射される電磁波（放射ノイズ）を測定するための電界計測装置に適用され得る。この光伝送装置１は、ヘッド部２と、コントローラ部３と、を備えている。ヘッド部２は、電磁波を受信するためのアンテナ（不図示）とともに電波暗室に設置され、コントローラ部３は、測定結果を出力するための測定器（不図示）とともに測定室に設置される。また、被測定装置は電波暗室に設置される。
【００１６】
ここで、電波暗室は、被測定装置から放射される電磁波を検出するためのエリアであって、例えば外部からの電磁波が遮断された空間である。電波暗室は、オープンサイトなどであってもよい。また、本実施形態ではアンテナの設置場所が電波暗室の例で説明するが、これに限定されない。測定室は、電波暗室において検出された電磁波を計測するためのエリアであって、被測定装置から放射される電磁波によって計測に障害が生じないエリアである。測定室は、例えば電波暗室の外部、被測定装置から十分離れた場所、または、被測定装置から放射される電磁波の漏出を遮断した空間などである。
【００１７】
ヘッド部２には、アンテナが接続されている。アンテナは、被測定装置から放射される電磁波を受信する。アンテナは、受信した電磁波の電界強度に応じた電気信号である検出信号Ｓａ（変調信号）をヘッド部２に出力する。
【００１８】
ヘッド部２は、検出信号Ｓａに基づいて連続光Ｌｓを変調して変調光Ｌｍを出力する。ヘッド部２は、偏光子２１と、光変調器２２と、を備えている。
【００１９】
偏光子２１は、所定の角度の偏光成分を透過する素子である。偏光子２１は、連続光Ｌｓの所定の角度の偏光成分を透過する。
【００２０】
光変調器２２は、アンテナから出力される検出信号Ｓａを光信号に変換するデバイスであって、例えばマッハツェンダ型の光変調器である。光変調器２２は、例えばニオブ酸リチウム（ＬｉＮｂＯ３）などの電気光学効果を奏する誘電体材料から構成されている。光変調器２２は、コントローラ部３から出力される連続光Ｌｓを、光ファイバＦ１及び偏光子２１を介して入力する。光変調器２２は、検出信号Ｓａを用いて連続光Ｌｓを変調し、変調した連続光Ｌｓを変調光Ｌｍとして光ファイバＦ２を介してコントローラ部３に出力する。
【００２１】
コントローラ部３は、連続光Ｌｓを出力するとともに、変調光Ｌｍに基づいて電磁波の電界強度を示す電気信号である測定信号Ｓｍを出力する。コントローラ部３は、光源装置３１と、光検出器３２と、を備えている。
【００２２】
光源装置３１は、光ファイバＦ１を介して、ヘッド部２に連続光Ｌｓを出力する。光源装置３１の詳細については、後述する。
【００２３】
光検出器３２は、光信号を電気信号に変換するための光電変換素子であって、例えばフォトダイオードである。光検出器３２は、ヘッド部２によって出力される変調光Ｌｍの光強度を電気信号に変換し、変換した電気信号を測定信号Ｓｍとして外部の測定器（不図示）に出力する。
【００２４】
光ファイバＦ１は、ヘッド部２とコントローラ部３とを接続する光ファイバであって、例えばシングルモードファイバ（Single  Mode  Fiber：ＳＭＦ）である。光ファイバＦ１は、コントローラ部３からヘッド部２に連続光Ｌｓを伝送する。光ファイバＦ２は、ヘッド部２とコントローラ部３とを接続する光ファイバであって、例えばシングルモードファイバである。光ファイバＦ２は、ヘッド部２からコントローラ部３に変調光Ｌｍを伝送する。
【００２５】
次に、光源装置３１の詳細を説明する。図２は、光源装置３１の構成を概略的に示す図である。図２に示されるように、光源装置３１は、光源１１（第１光源）と、光源１２（第２光源）と、光合分波器１３と、偏波合成器１４と、を備えている。
【００２６】
光源１１は、出力光Ｌ１（第１出力光）を出力するデバイスであって、例えばレーザダイオードである。出力光Ｌ１は、第１周波数ｆ１を有する直線偏光である。出力光Ｌ１の波長λ１は例えば１５５０ｎｍ程度である。光源１１は、光ファイバＦ１１を介して出力光Ｌ１を光合分波器１３に出力する。光ファイバＦ１１は、光源１１と光合分波器１３とを接続する光ファイバであって、例えば偏波保持ファイバ（Polarization  Maintaining  Fiber：ＰＭＦ）である。
【００２７】
光源１２は、出力光Ｌ２（第２出力光）を出力するデバイスであって、例えばレーザダイオードである。出力光Ｌ２は、第１周波数ｆ１とは異なる第２周波数ｆ２を有する直線偏光である。つまり、出力光Ｌ２の波長λ２は波長λ１とは異なる。第１周波数ｆ１と第２周波数ｆ２との差は、検出信号Ｓａの周波数（測定周波数）の２倍以上としてもよい。例えば、測定周波数が１０ＧＨｚである場合、第１周波数ｆ１と第２周波数ｆ２との差は２０ＧＨｚ以上である。出力光Ｌ２の偏光方向は、出力光Ｌ１の偏光方向と同じである。光源１２は、光ファイバＦ１２を介して出力光Ｌ２を光合分波器１３に出力する。光ファイバＦ１２は、光源１２と光合分波器１３とを接続する光ファイバであって、例えば偏波保持ファイバである。
【００２８】
光合分波器１３は、出力光Ｌ１と出力光Ｌ２とを合波して、合波光Ｌｂ１（第１合波光）及び合波光Ｌｂ２（第２合波光）を出力する。光合分波器１３は、例えば光カプラであり、出力分岐比が１：１の３ｄＢカプラであってもよい。光合分波器１３は、例えば２入力２出力の構成であり、入力端１３ａ、入力端１３ｂ、出力端１３ｃ及び出力端１３ｄを有している。具体的に説明すると、光合分波器１３は、出力光Ｌ１を入力端１３ａに入力し、出力光Ｌ２を入力端１３ｂに入力する。そして、光合分波器１３は、出力光Ｌ１と出力光Ｌ２とを干渉させることにより、互いに逆位相の２つのビート光を発生させる。この２つのビート光は、同じ光パワー（光量）を有し、周期的に偏波が変化する。ビート光は、以下の式（１）で示されるビート周波数ｆｂのビート周波数成分を有している。なお、ｃは光速であり、３．０×１０８［ｍ／ｓ］である。
【数１】
2014215180.tif 000003
【００２９】
出力光Ｌ１の波長λ１が１５５０．００ｎｍであり、出力光Ｌ２の波長λ２が１５５０．１６ｎｍである場合、ビート周波数ｆｂは２０ＧＨｚ程度となる。つまり、測定周波数が１０ＧＨｚで、ビート周波数ｆｂを２０ＧＨｚ以上とする場合、出力光Ｌ１の波長λ１が１５５０．００ｎｍであれば、出力光Ｌ２の波長λ２は１５５０．１６ｎｍ以上となる。
【００３０】
光合分波器１３は、一方のビート光のビート周波数成分の光を合波光Ｌｂ１として出力端１３ｃから出力し、他方のビート光のビート周波数成分の光を合波光Ｌｂ２として出力端１３ｄから出力する。合波光Ｌｂ１及び合波光Ｌｂ２は、互いに同じ偏光方向を有し、同じビート振幅を有している。
【００３１】
偏波合成器１４は、合波光Ｌｂ１の偏光方向と合波光Ｌｂ２の偏光方向とが交差（直交）するように、合波光Ｌｂ１と合波光Ｌｂ２とを偏波合成する。偏波合成器１４は、例えばＰＢＳ（偏光ビームスプリッタ）または複屈折板等である。偏波合成器１４は、端面１４ａ、端面１４ｂ及び端面１４ｃを有している。端面１４ａと端面１４ｃとは互いに対向する面である。端面１４ａと端面１４ｂとは、互いに交差する面である。
【００３２】
偏波合成器１４は、反射部１４１を有している。反射部１４１は、ｐ偏光を透過し、ｓ偏光を反射する。反射部１４１は、例えば誘電体多層膜等から構成されている。反射部１４１は、一方面１４１ａ及び一方面１４１ａと反対側の他方面１４１ｂを有している。一方面１４１ａは、端面１４ａと対向しており、端面１４ａの法線軸方向に対して例えば４５度程度傾斜している。他方面１４１ｂは、端面１４ｂと対向しており、端面１４ｂの法線軸方向に対して例えば４５度程度傾斜している。
【００３３】
光合分波器１３の出力端１３ｃから出力した合波光Ｌｂ１は、光ファイバＦ１３を介して偏波合成器１４の端面１４ａから偏波合成器１４に入力する。光合分波器１３の出力端１３ｄから出力した合波光Ｌｂ２は、光ファイバＦ１４を介して偏波合成器１４の端面１４ｂから偏波合成器１４に入力する。光ファイバＦ１３は、光合分波器１３の出力端１３ｃと偏波合成器１４の端面１４ａとを接続する光ファイバであって、例えば偏波保持ファイバである。光ファイバＦ１４は、光合分波器１３の出力端１３ｄと偏波合成器１４の端面１４ｂとを接続する光ファイバであって、例えば偏波保持ファイバである。反射部１４１は、合波光Ｌｂ１を透過するとともに、合波光Ｌｂ２を反射することにより、合波光Ｌｂ１と合波光Ｌｂ２とを偏波合成する。偏波合成器１４は、偏波合成した合成光を連続光Ｌｓとして端面１４ｃから光ファイバＦ１に出力する。連続光Ｌｓは、互いに交差した２つの偏光面を有する光であって、２つの偏光面は例えば直交している。
【００３４】
次に、光源装置３１及び光伝送装置１の動作を説明する。図３の（ａ）は光源１１の出力光Ｌ１の一例を示す図、図３の（ｂ）は光源１２の出力光Ｌ２の一例を示す図、図３の（ｃ）は光合分波器１３の合波光Ｌｂ１の一例を示す図、図３の（ｄ）は光合分波器１３の合波光Ｌｂ２の一例を示す図である。
【００３５】
光源１１は、例えば図３の（ａ）に示される出力光Ｌ１を出力する。光源１２は、例えば図３の（ｂ）に示される出力光Ｌ２を出力する。光合分波器１３は、光ファイバＦ１１を介して出力光Ｌ１を入力端１３ａに入力し、光ファイバＦ１２を介して出力光Ｌ２を入力端１３ｂに入力する。そして、光合分波器１３は、出力光Ｌ１及び出力光Ｌ２を干渉させることによって、図３（ｃ）及び（ｄ）に示される互いに逆位相の２つのビート光を発生させる。そして、光合分波器１３は、一方のビート光のビート周波数成分の光を合波光Ｌｂ１として出力端１３ｃから出力し、他方のビート光のビート周波数成分の光を合波光Ｌｂ２として出力端１３ｄから出力する。
【００３６】
続いて、偏波合成器１４は、光ファイバＦ１３を介して合波光Ｌｂ１を端面１４ａに入力し、光ファイバＦ１４を介して合波光Ｌｂ２を端面１４ｂに入力する。そして、偏波合成器１４は、反射部１４１によって合波光Ｌｂ１を透過し、合波光Ｌｂ２を反射することによって、合波光Ｌｂ１及び合波光Ｌｂ２を偏波合成する。そして、偏波合成器１４は、偏波合成した光を連続光Ｌｓとして光ファイバＦ１を介してヘッド部２に出力する。
【００３７】
一方、測定者は不図示の入力部を用いて、被測定装置の電磁波の測定を開始するための指示をコントローラ部３に出力する。この指示に応じて、アンテナ及びヘッド部２が動作し、被測定装置からの電磁波をアンテナが検出する。アンテナは、被測定装置から放射された電磁波を受信し、受信した電磁波に応じた検出信号Ｓａをヘッド部２に出力する。そして、光変調器２２は、検出信号Ｓａに応じて連続光Ｌｓを変調し、変調した連続光Ｌｓを変調光Ｌｍとして光ファイバＦ２に出力する。続いて、変調光Ｌｍは、光ファイバＦ２を伝搬してコントローラ部３の光検出器３２に出力される。
【００３８】
光検出器３２は、変調光Ｌｍを電気信号に変換し、変換した電気信号を測定信号Ｓｍとして測定器に出力する。そして、測定器は、測定信号Ｓｍに基づいてビート周波数の搬送波に重畳された信号振幅を算出することにより、電磁波の強度等を算出する。このようにして、光伝送装置１を用いて、被測定装置の電磁波の測定を行う。
【００３９】
以上のように、光伝送装置１では、光合分波器１３によって、第１周波数ｆ１を有する直線偏光の出力光Ｌ１と第２周波数ｆ２を有する直線偏光の出力光Ｌ２とを合波している。第１周波数ｆ１と第２周波数ｆ２とが異なるので、出力光Ｌ１と出力光Ｌ２との合波によって、互いに逆位相で同じ光量の２つのビート光が生じる。この２つのビート光は、第１周波数ｆ１と第２周波数ｆ２との差であるビート周波数ｆｂのビート周波数成分を有している。光合分波器１３は、２つのビート光のビート周波数成分の光を合波光Ｌｂ１及び合波光Ｌｂ２として出力する。そして、偏波合成器１４によって、合波光Ｌｂ１の偏光方向と合波光Ｌｂ２の偏光方向とが直交するように合波光Ｌｂ１及び合波光Ｌｂ２を偏波合成することにより、連続光Ｌｓを生成して出力している。合波光Ｌｂ１及び合波光Ｌｂ２は同じビート振幅を有しているので、出力光Ｌ１及び出力光Ｌ２の光量の調整を行うことなく、偏光子２１を通過した後の、光変調器２２に出力される連続光Ｌｓのビート振幅の変動を低減することができる。また、第１周波数ｆ１と第２周波数ｆ２との差は、検出信号Ｓａの周波数の２倍以上であるので、光変調器２２における変調が可能となる。その結果、電磁波の測定精度の向上が可能となる。
【００４０】
光変調器は特定の偏光方向の光を入力しないと変調ができないので、従来は連続光Ｌｓの伝送には偏波保持ファイバが用いられていた。これに対し、光伝送装置１では、光源装置３１から出力される連続光Ｌｓは、２つの偏光面が交差（直交）した光であり、それぞれのビート振幅は等しい。このため、連続光Ｌｓの伝送用の光ファイバＦ１としてシングルモードファイバを用いたとしても、光ファイバＦ１における偏波変動によらず偏光面相互の関係は保持されるので、光変調器２２が変調する際に、変調に関わる偏光方向の入力光のビートの実効値を一定として変調することが可能となる。その際、上記偏波変動の影響を排除するためには、合波光Ｌｂ１の偏光方向と合波光Ｌｂ２の偏光方向とが厳密に直交することが望ましい。しかし、仮に合波光Ｌｂ１及び合波光Ｌｂ２の偏光方向の交差角度が９０度から６度程度ずれても（８４度以上９６度以下）、光ファイバＦ１における偏波変動による光変調器２２上のビート振幅変動は最大１０％程度であるので、良好な信号伝送を行うことができる。また、シングルモードファイバは、偏波保持ファイバよりも安価であるので、コストダウンが可能となる。
【００４１】
つまり、光伝送装置１では、出力光Ｌ１及び出力光Ｌ２の光量に差があったとしても、光合分波器１３の分岐比が厳密に１対１の場合は、光合分波器１３から出力される合波光Ｌｂ１及び合波光Ｌｂ２は同一のビート振幅及び光量を有する。このため、合波光Ｌｂ１及び合波光Ｌｂ２の偏光方向が互いに直交するように偏波合成することにより、ビート振幅及び光量が安定し、ビート振幅及び光量が一定の連続光Ｌｓを出力することができる。また、光合分波器１３の分岐比が厳密に１対１でなくても、光合分波器１３から出力される合波光Ｌｂ１及び合波光Ｌｂ２は同一のビート振幅を有する。このため、合波光Ｌｂ１及び合波光Ｌｂ２の偏光方向が互いに直交するように偏波合成することにより、ビート振幅が安定し、ビート振幅が一定の連続光Ｌｓを出力することができる。そして、連続光Ｌｓは、２つの偏光面が互いに直交する光であるので、光ファイバＦ１としてシングルモードファイバを用いることができる。その結果、シングルモードファイバを用いて電磁波の測定精度を向上することが可能となる。
【００４２】
なお、本発明に係る光伝送装置及び光源装置は上記実施形態に限定されない。例えば、光伝送装置１は、衛星用のパラボラアンテナを用いて屋外で受信するシステム及びＲＯＦ（Radio  over  fiber）システムなどアンテナで受信した電磁波を検出する電界計測装置全般に適用され得る。また、光伝送装置１は、衛星からの電波を受信するための受信機、及び、電波望遠鏡等に適用され得る。
【００４３】
アンテナが受信する電磁波は微弱であるので、ヘッド部２は、検出信号Ｓａを増幅するためのアンプを備えていてもよい。また、コントローラ部３は、変調光Ｌｍの一部を検出するための光検出器、及び、光変調器２２のバイアス制御を行うためのバイアス制御回路を備えていてもよい。
【００４４】
また、光合分波器１３の出力端１３ｃ及び出力端１３ｄにアッテネータ等を設け、合波光Ｌｂ１及び合波光Ｌｂ２の光量が互いに等しくなるように調整してもよい。この場合、光合分波器１３は、同じ光量の合波光Ｌｂ１及び合波光Ｌｂ２を出力する必要はなく、出力光Ｌ１及び出力光Ｌ２を合波して合波光Ｌｂ１及び合波光Ｌｂ２を出力できればよい。
【産業上の利用可能性】
【００４５】
本実施形態によれば、光源から出力される光の光量の調整を行うことなく、光量の変動を低減可能な光伝送装置及び光源装置を提供できる。
【符号の説明】
【００４６】
１…光伝送装置、１１…光源（第１光源）、１２…光源（第２光源）、１３…光合分波器、１４…偏波合成器、２２…光変調器、３１…光源装置、３２…光検出器、Ｆ１…光ファイバ、ｆ１…第１周波数、ｆ２…第２周波数、Ｌ１…出力光（第１出力光）、Ｌ２…出力光（第２出力光）、Ｌｂ１…合波光（第１合波光）、Ｌｂ２…合波光（第２合波光）、Ｌｍ…変調光、Ｌｓ…連続光、Ｓａ…検出信号（変調信号）、Ｓｍ…測定信号（電気信号）。
【図１】
2014215180.tif 000004
【図２】
2014215180.tif 000005
【図３】
2014215180.tif 000006